(57)【特許請求の範囲】
【請求項１】
被写体をカメラなどでカラー画像データとして取り込み、画像の表示、印刷などを行うカラー画像処理システムにおいて、
被写体を、該被写体の周囲複数個所にそれぞれ配置され、複数の既知の色情報でそれぞれ構成された複数のカラーチャートとともに撮影する画像入力部と、
前記画像入力部により撮影された前記被写体と前記複数のカラーチャートとを含む画像情報を記憶する画像メモリと、
前記画像メモリに記憶された画像情報から前記被写体の領域の周囲複数個所にそれぞれ配置されたカラーチャート毎にそのカラーチャートの色情報を抽出する色情報抽出手段と、
前記画像メモリに記憶された画像情報から前記被写体の画像情報を切り出す切出手段と、
前記切出手段により切り出された前記被写体の画像情報を前記複数のカラーチャートがそれぞれ配置された位置に対応して複数領域に分割する領域分割手段と、
前記色情報抽出手段により抽出されたカラーチャート毎の色情報と前記カラーチャートを構成する既知の色情報とから、実際の色に近づけるための変換情報を各カラーチャート毎に作成する変換情報作成手段と、
前記領域分割手段により複数領域に分割された前記被写体の画像情報の色情報を、各領域毎にその領域に対応した前記カラーチャートから前記変換情報作成手段により作成された変換情報を用いて変換する画像情報変換手段とを備えたことを特徴とするカラー画像処理システム。
【請求項２】
前記画像メモリに記憶された画像情報の中の各カラーチャート領域を既知の背景色で塗りつぶす描画手段を備えたことを特徴とする請求項１記載のカラー画像処理システム。
【請求項３】
前記画像メモリに記憶された画像情報から背景色の色情報を抽出する背景色情報抽出手段と、
前記画像メモリに記憶された画像情報の中の各カラーチャート領域を前記背景色情報抽出手段により抽出された背景色で塗りつぶす描画手段とを備えたことを特徴とする請求項１記載のカラー画像処理システム。
【発明の詳細な説明】
【０００１】
【発明の属する技術分野】
本発明は、人物等の被写体をカメラなどのカラ−画像として取り込み、画像の表示あるいは印刷を行うカラ−画像処理システムに関する。
【０００２】
【従来の技術】
入室証として用いられるＩＤカードを作成する場合においては、入力デバイスとしてＣＣＤカメラあるいはスキャナを用い、出力デバイスとして、カラーディスプレイやカラープリンタをパ−ソナルコンピュ−タに接続していた。
【０００３】
また、カメラやスキャナはＲＧＢ表色系で扱い、カラープリンタは、ＹＭＣＫ表色系で扱うため、パソコンでＲＧＢからＹＭＣＫへの変換を行っていた。
また、カラーマネジメントシステムのようにそれぞれの入出力デバイスのプロファイル情報を用意し、一旦ＸＹＺ表色系等のデバイスインディスペンデントカラーへ変換した後、出力デバイスのガミュートへのカラーマッピングを行う方法もある。
【０００４】
【発明が解決しようとする課題】
単に、パ−ソナルコンピュ−タに入出力デバイスを接続した装置では、入力デバイスと出力デバイスの色再現範囲が異なったり、ＲＧＢからＹＭＣＫに変換する際にも、カメラの分光特性、光源の分光分布などの影響を受けるため、出力デバイスの印刷結果は結果として異なった色に変換される。
【０００５】
図１７に示すように、ＣＣＤカメラで撮影した画像デ−タとしてのＲＧＢからＹＭＣＫへの変換は、決まった変換式により行われていた。つまり、ＣＣＤカメラで画像を入力した後（ステップＳ１）、被写体フレ−ムの切り出しを行なう（ステップＳ２）。その後に、ＲＧＢからＹＭＣＫへの変換を決まった変換式で行った後（ステップＳ３）、印刷を行うようにしている（ステップＳ４）。
【０００６】
そして、入出力デバイスの特性が考慮されていないため、場合によっては、全く違った色に変換される可能性もある。
また、カラーマネジメントシステムを用いた場合は、図１８に示すようになっている。つまり、ＣＣＤカメラで撮影した画像デ−タとしてＲＧＢデ−タを入力する（ステップＳ１１）。そして、入力されたＲＧＢの画像デ−タは、被写体フレームの切り出しが行われる（ステップＳ１２）。
【０００７】
そして、画像入力部の特性からのプロファイル情報（変換マトリクス）を用いて変換（ステップＳ１３）して、デバイスインディペンデントカラー（ＸＹＺ表色系）に変換される（ステップＳ１４）。
【０００８】
また、印刷の場合には、出力するプリンタの特性にあったプロファイル情報（変換パラメータ）でＸＹＺ表色系の画像情報をＹＭＣＫ表色系に変換する（ステップＳ１５）。このことにより、ＹＭＣＫ画像を得て（ステップＳ１６）、印刷を行うようにしている（ステップＳ１７）。
【０００９】
ここで、それぞれの入出力デバイスとしての特性はプロファイル情報にて最適化されているが、光源や外光等の外乱要因が伴った際においては、外光などによる色変化が生じたままの状態を取り込むため、標準光で撮影した本来の色とは異なる色として取り込まれる。従って、実際の色とは異なるため、ＩＤカード等認証に用いる写真については、不都合が生じていた。
【００１０】
本発明は上記の点に鑑みてなされたもので、その目的は人物等の被写体をカメラなどのカラ−画像として取り込み、画像の表示あるいは印刷を行なう場合でも、入出力デバイスが異なっている場合でも、色合いを変更されることがないカラ−画像処理システムを提供することにある。
【００１１】
【課題を解決するための手段】
請求項１に係わるカラー画像処理システムは、被写体をカメラなどでカラー画像データとして取り込み、画像の表示、印刷などを行うカラー画像処理システムにおいて、被写体を、該被写体の周囲複数個所にそれぞれ配置され、複数の既知の色情報でそれぞれ構成された複数のカラーチャートとともに撮影する画像入力部と、画像入力部により撮影された被写体と複数のカラーチャートとを含む画像情報を記憶する画像メモリと、画像メモリに記憶された画像情報から前記被写体の領域の周囲複数個所にそれぞれ配置されたカラーチャート毎にそのカラーチャートの色情報を抽出する色情報抽出手段と、画像メモリに記憶された画像情報から被写体の画像情報を切り出す切出手段と、切出手段により切り出された被写体の画像情報を複数のカラーチャートがそれぞれ配置された位置に対応して複数領域に分割する領域分割手段と、色情報抽出手段により抽出されたカラーチャート毎の色情報とカラーチャートを構成する既知の色情報とから、実際の色に近づけるための変換情報を各カラーチャート毎に作成する変換情報作成手段と、領域分割手段により複数領域に分割された被写体の画像情報の色情報を、各領域毎にその領域に対応したカラーチャートから変換情報作成手段により作成された変換情報を用いて変換する画像情報変換手段とを備えたことを特徴とする。
【００１２】
請求項２に係わるカラー画像処理システムは、請求項１記載の画像メモリに記憶された画像情報の中の各カラーチャート領域を既知の背景色で塗りつぶす描画手段を備えたことを特徴とする。
【００１３】
請求項３に係わるカラー画像処理システムは、請求項１記載の画像メモリに記憶された画像情報から背景色の色情報を抽出する背景色情報抽出手段と、前記画像メモリに記憶された画像情報の中の各カラーチャート領域を背景色情報抽出手段により抽出された背景色で塗りつぶす描画手段とを備えたことを特徴とする。
【００２３】
【発明の実施の形態】
以下、図面を参照して本発明の第１の実施の形態について説明する。図１において、１はシステム全体を制御するための制御部である。この制御部１には、例えばＣＣＤカメラのような画像入力部２、画像入力部２で撮影された画像デ−タが記憶される記憶部３、この記憶部３に記憶されている画像デ−タを印刷するプリンタ４が接続されている。
【００２４】
被写体７の背景には背景パネル６が設けられている。この背景パネル６には、複数の色情報（ａ，ｂ，ｃ，ｄ）からなるカラーチャート８が背景に置かれている。また、これらの被写体には、ライトなど光源９により照らされている。また、外光などによる外乱要因１０もある。
【００２５】
次に、図２を参照して制御部１の詳細な構成について説明する。制御部１は、画像入力部２を接続する画像入力インタフェ−ス（Ｉ／Ｆ）３０と、入力された画像情報を一時記憶／加工／あるいは他の情報を記憶したりする画像メモリ２１と、画像情報から指定された領域を切り出す画像分離部２２と、画像情報の色情報を変換する変換マトリクスを生成する変換マトリクス作成部２３と、変換マトリクスにより画像情報の色情報を変換する画像変換処理部２４と、入力画像の背景情報を抽出する背景情報抽出部２６と、入力された画像情報の領域を指定に従って分割する領域分割部２７と、表示部５に表示する画像情報を記憶する表示メモリと、プリンタ４を接続するプリンタＩ／Ｆ３２と、記憶部３を接続する記憶部Ｉ／Ｆ３１と、ＬＡＮ等の通信と接続する通信部２９と、制御部１全体を制御するＣＰＵ２０により構成される。
【００２６】
次に、上記のように構成された第１の実施の形態の動作について図３のフロ−チャ−トを参照して説明する。画像入力部２により背景パネル６と被写体７とカラ−チャ−ト８を撮影する。画像入力部２により入力された背景パネル６と被写体７とカラーチャート８の画像情報は、制御部１の画像メモリ２１に記憶される。この時、背景パネル６の被写体７の色情報はＲＧＢ表色系で表される。
【００２７】
そして、画像メモリ２１に記憶された画像情報からカラーチャート８の情報の切り出しと被写体７の実際に画像として必要な部分の画像情報の切り出しを画像分離部２２は図４に示すようにＣＰＵ２０により行なわれる。
【００２８】
このときの切り出しは、予めカラーチャート８や被写体７の位置が固定であれば、画像メモリ２１の固定アドレスより切り出される。固定されていない場合は、表示部５に表示された状態でマウスなどで位置の指定を行うことにより可能である。
【００２９】
この時、カラーチャート８は複数の色情報から構成されているため、図４に示すように、各色情報（ａ，ｂ，ｃ，ｄ）について色情報を切り出すようにしている。ここでは、簡単のために４色としたが、色数は何色でも良い。
【００３０】
また、画像入力部２より入力された制御部１に取り込まれた各色情報のＲ値、Ｇ値、Ｂ値をそれぞれａ’＝（Ｒ１，Ｇ１，Ｂ１）、ｂ’＝（Ｒ２，Ｇ２，Ｂ２）、ｃ’＝（Ｒ３，Ｇ３，Ｂ３）、ｄ’＝（Ｒ４，Ｇ４，Ｂ４）とする。
【００３１】
また、これらの被写体７の画像情報やカラーチャート８の各色情報は、記憶部３にファイルとして記憶する場合には、画像メモリ２１に記憶され、切り出された被写体フレームと画像分離部２１によりカラーチャート８から切り出された各色情報ａ’，ｂ’，ｃ’，ｄ’は記憶部Ｉ／Ｆ３１を介して記憶部３に記憶される。
【００３２】
この場合には、図６に示すように、画像情報の大きさ、色情報などの特殊情報の有無などを含むヘッダ情報に続いて各色情報ａ’，ｂ’ｃ’ｄ’と被写体フレームの画像情報が１つのファイルとして記憶される。ここで、各色情報ａ’，ｂ’，ｃ’ｄ’は、画像入力部２により入力された色情報を意味する。すなわち、カラーチャート８は、標準光による一定条件のもとで決められた色情報ａ，ｂ，ｃ，ｄで表される。これらは、通常、デバイスインディペンデントな表色系であるＸＹＺ表色系であらわされている。すなわち、各色情報のＸ値、Ｙ値、Ｚ値をそれぞれａ＝（Ｘ１，Ｙ１，Ｃ１），ｂ＝（Ｘ２，Ｙ２，Ｚ２），ｃ＝（Ｘ３，Ｙ３，Ｚ３），ｄ＝（Ｘ４，Ｙ４，Ｚ４）である。
【００３３】
しかしながら、図１に示すように、標準光とは異なる光源９や外光等の外乱要因１０が加わると色が変化して見える。さらには、画像入力部２のＲＧＢの分光感度にも影響を受けるため、実際の色とは、異なった色（ａ’，ｂ’，ｃ’，ｄ’）で表示または、プリントされてしまう。このように実際の色と変化を生じるため、被写体７の画像情報Ｔ＝（ＲＴ，ＧＴ，ＢＴ）を実際の色に近づけるための色変換を行う。このため、前記のカラーチャート８の既知の色情報ａ，ｂ，ｃ，ｄと入力結果の色情報ａ’，ｂ’，ｃ’，ｄ’から変換パラメータを作成する。
【００３４】
ここでは、ＲＧＢ表色系からＸＹＺ表色系への変換に３×３のマトリクスを使用するものとし、この３×３のマトリクスを変換マトリクスとして使用する。この処理は変換マトリクス作成部２３によりカラーチャート８の既知の色情報ａ，ｂ，ｃ，ｄを記憶部３から読み出し、入力結果の色情報ａ’，ｂ’，ｃ’，ｄ’を画像分離部２２から受け取ることにより行われる。
【００３５】
変換マトリクスの算出方法を以下に示す。（１）式、（２）式、（３）式、（４）式は、変換マトリクスＵ（３×３マトリクス）として線形変換と考えた場合の変換式である。式の左辺は、カラーチャートの標準光での色情報の値として与えられており、右辺は、画像入力部２より制御部１に取り込まれたＲＧＢ値である。
【００３６】
数１                          …（１）
数２                          …（２）
数３                          …（３）
数４                          …（４）
【００３７】
【数１】
0003912813.tif 000002
【００３８】
【数２】
0003912813.tif 000003
【００３９】
【数３】
0003912813.tif 000004
【００４０】
【数４】
0003912813.tif 000005
【００４１】
これらの（１）〜（４）の連立方程式から変換マトリクスＵであるＣ１１〜Ｃ３３を導き出すようにしている。この変換マトリクスＵの情報により被写体７がＲＧＢ表色系で入力されると上記変換マトリクスによりデバイスインディペンデントカラーのＸＹＺ刺激値として表されることができる。
【００４２】
従って、この変換マトリクスＵを用いて実際の色情報を推定することにより、図５に示すように、カラーチャートの色情報ａ’，ｂ’，ｃ’ｄ’から実際の色情報に近い推定色情報ａ”，ｂ”，ｃ”，ｄ”を得ることができる。すなわち、図３のフローチャートにおいて、切り出された被写体７の画像情報Ｔ’＝（ＲＴ’，ＧＴ’，ＢＴ’）を前記変換マトリクスにて変換を行いデバイスインディペンデントカラーであるＸＹＺ表色系に変換することにより、Ｔ”として変換することができる。この処理は、画像変換処理部２４において変換マトリクス作成部２３から変換マトリクスＵを受け取り被写体フレームの画像情報Ｔ’を画像メモリ２１より読み出して行われ、変換された画像情報Ｔ”＝（ＸＴ”，ＹＴ”，ＺＴ”）は、再び画像メモリ２１に戻される。この時の被写体フレームの画像情報Ｔ”は、出力デバイスに応じて各表色系に変換することにより、実際の色情報に近い色情報を得ることができる。ここで、作成された変換マトリクスＵは、被写体の画像情報と一緒に記憶部３にファイルすることもでき、たとえば、図７に示すファーマットでファイルすることにより、変換マトリクスＵを用いて、簡単に被写体の画像情報をデバイスインディペンデントカラーに変換し、実際に近い色情報に変換できる。
【００４３】
次に、出力デバイスに出力する場合について説明する。図３に示すように、まず、表示部５に表示する際には、入力したままの情報は、画像入力部２より入力された画像情報を画像メモリ２１を介して、表示メモリ２８に書き込むことにより、表示部５に表示される。
【００４４】
また、表示部５のデバイス特性にあわせたＸＹＺ表色系からＲＧＢ表色系に変換する変換パラメータを用いて被写体の画像情報を変換する場合には、画像処理部２４にて画像メモリ２１に記憶された画像情報を記憶部３に記憶されたプロファイル情報である変換パラメータに基づいてＸＹＺ表色系からＲＧＢ表色系に変換された後、表示メモリ２８に転送することにより、表示部５に入力した実際に色に近い形で補正した色を保存して同じ色で表示することができる。
【００４５】
プリンタ４への印刷も同様にして、デバイスにディペンドした変換パラメータを記憶部３より読み出し、画像変換処理部２４にて画像メモリ２１に記憶されたＸＹＺ表色系の画像情報をＹＭＣＫ表色系に変換することによりＴ”の色情報を保存した形で、プリンタＩ／Ｆ３２を介してプリンタ５にて印刷できる。
【００４６】
以上により、カラーチャート８を被写体７と同時に画像入力部２より入力し、制御部１内でデバイスインディペンデントカラーへの変換マトリクスを作成するため、光源や外光などの状態に関わらず、常に実際に近い色情報を得ることができる。
【００４７】
次に、本発明の第２の実施の形態について図８〜図１０を参照して説明する。図８は、画像入力部２から制御部１に取り込む際の画像情報を示している。画像入力部２からの入力画像であるフレーム１２のなかには、被写体７とカラーチャート８と背景パネル６が画像入力部２より入力され、制御部１に出力される。また、被写体７を含む切り出し領域（被写体フレーム）１１は、実際に本システムで必要な画像領域であり、この部分のみをファイルあるいは、プリントアウトあるいは、ほかの画像と合成して印刷やファイル、表示などを行う。
【００４８】
このように、この第２の実施の形態として画像情報として必要な領域は、切り出し領域１１であるため、カラーチャート８は、この切り出し領域１１に含まれない領域に配置することにより、切り出し領域１１からカラーチャート８を切り出し、同一の背景色で色塗りをする必要がなく、作業の効率が向上させることができる。
【００４９】
次に、本発明の第３実施の形態について、図９，図１０，図１１を参照して説明する。図９は、切り出し領域１２が大きく、どうしてもカラーチャート８が切り出し領域１１の領域内に存在する場合である。この時、カラーチャート８から色情報を得るため、カラーチャート８の切り出しを行うが、この後に、この部分は、背景色と同色で塗りつぶしを行う必要がある。図１１のフローチャートに示すように、まず初めに、画像メモリ２１に記憶された画像情報から画像分離部２２により切り出し領域（被写体フレーム）１１とカラーチャート８を切り出し、カラーチャート８から変換マトリクス作成部２３により生成される変換マトリクスＵにより切り出し領域１１をＸＹＺ表色系に変換し画像メモリ２１に記憶する。
【００５０】
次に、切り出し領域１１の被写体フレームに対して、図１０に示すように、既知である背景パネルの色情報Ｐ＝（ＸＰ，ＹＰ，ＺＰ）を記憶部Ｉ／Ｆ３１を介して記憶部３より読み出し、背景描画部２５により画像メモリ２１に記憶された被写体フレームのカラーチャート８の領域に背景パネルの色情報Ｐを描画する。これにより、切り出し領域１１上の背景情報は、ＸＹＺ表色系に変換マトリクスＵを用いて変換されたことにより、背景パネルの色情報Ｐに近い色になっているため、背景は、同様な色に置き換えられる。これにより、カラーチャート８を除いた被写体フレーム画像が完成する。あとは図１で説明したように出力デバイスにあわせた色変換を行うことにより、表示、印刷などが行われる。
【００５１】
次に、本発明の第４の実施の形態について図１２及び図１３を参照して説明する。この第４の実施の形態では、画像メモリ２１に記憶された画像情報から画像分離部２２により被写体の切り出し領域１１を切り出し、カラーチャート８を切り出した後、被写体フレームでは、背景情報抽出部２６により、カラーチャート８の近傍の背景色を抽出し、この情報を用いて、背景描画部２５がカラーチャート８の領域を塗りつぶすことにより、カラーチャート８の存在した領域も背景色と同様な色に置き換えられる。すなわち、カラーチャート８の周辺の背景色がＰ’＝（ＲＰ，ＧＰ，ＢＰ）であれば、カラーチャート８の部分のａ’，ｂ’，ｃ’，ｄ’の領域がＰ’に置き換えられることとなる。
【００５２】
次に、本発明の第５の実施の形態について、図１４を参照して説明する。図１４において、カラ−チャ−ト８は４隅に配置したものである。すなわち、画像入力部２からの入力フレーム１２には被写体７とカラーチャート８１、カラーチャート８２、カラーチャート８３、カラーチャート８４が存在する。今、外光１０が傾めから当たったとすると、フレーム１２内で、暗部と明部が存在することとなる。従って、一ヶ所におかれたカラーチャートで作成された色変換パラメータを用いた場合カラーチャートが暗部にあった場合には、暗部の画像情報は、正しい色情報に変換されるが、明部に関しては、更に明るい色情報などに変換される。反対に、明部にカラーチャートが存在した場合には、明部の色は正しい色情報に変換された保管されるが、暗部の色情報は、より暗い色情報に変換されるものと想像される。このように、フレーム１２内または、切り出し領域１１内に条件の異なる領域が存在した場合には、１つのカラーチャートでは対応できない。
【００５３】
従って、この第５の実施の形態では、４隅にカラーチャート８１，８２，８３，８４を配置することにより、領域ごとの色変換を可能とする。すなわち、図１６のフローチャートに示すように、画像分離部２２が画像メモリ２１に記憶された画像情報から４隅に置かれたカラーチャート８１，８２，８３，８４を入力画像から切り出し、変換マトリクス作成部２３によりそれぞれの色情報から変換マトリクスＵ１，Ｕ２，Ｕ３，Ｕ４を算出する。また、領域分割部２７において、画像メモリ２１に記憶され切り出された被写体フレームの画像情報を図１５に示すように４分割し、それぞれの領域にそれぞれの変換マトリクスを用いて、デバイスインディペンデントカラーへの変換処理を画像変換処理部２４にて行う。
【００５４】
このようにして、暗部では、輝度を上げ、明部では、輝度を下げたように色変換が行われ、外光１０等が影響しても、全体に均一に標準光が当たった状態の画像情報に変換が可能となる。
【００５５】
なお、前述した第１の実施の形態では、デバイスインディペンデントカラーに変換するために３×３の変換マトリクスを用いたが、ルックアップテーブルなどのテーブルでも何でもよく、要は、変換できればよい。さらに、出力デバイスが存在しないために、一旦デバイスインディペントカラーに変換したが、出力デバイスが固定の場合には、入力特性と出力特性を総合して直接変換しても良いし、入力した同じ表色系で補正を行っても良い。
【００５６】
また、これらを計算するには、時間がかかる場合が考えられる。従って、入力した画像情報から被写体７とカラーチャート８を分離し、カラーチャート８の色情報を確定すると被写体７の画像情報とカラーチャート８の色情報をハードディスク装置等の記憶部３に記憶する。これにより、一旦入力を行った後にバッチ処理などにより記憶部３より被写体７の画像情報とカラーチャート８の色情報を読み出し、変換マトリクスＵを作成することにより、他の表色系に変換できるため、作業効率を向上させることができる。
【００５７】
また、画像メモリ２１にデバイスインディペンデントカラーであるＸＹＺ表色系に変換された画像情報Ｔ”も記憶部Ｉ／Ｆ３１を介して記憶部３にファイルし、後で出力デバイスに出力することもできる。
【００５８】
なお、本発明は、第１乃至第５の実施の形態に限定されるものではなく、デバイスインディペンデントな色空間は、ＸＹＺ表色系でなくても良く、Ｌａｂ空間など、要は、デバイスインディペンデントな表色系であれば良い。カラーチャートは４個の必要はなく、複数であればよい、また、カラーチャートも４色に限定されず、何色でもよい、また、複数のカラーチャートは、異なった色情報により構成されていてもよい。また、変換マトリクスを対応させる領域も均等に分割する必要はなく、複数のカラーチャートの情報から割り出しても良い。
【００５９】
被写体７とともにデバイスインディペントカラー値が既知であるカラーチャート８を一緒に撮影することにより、その場の撮影条件のもとでの変換マトリクスＵを作成できるため、外乱要因に関係なく被写体本来の色を再現できる。また、カラーチャート８の色情報を被写体７の情報とともに記憶することにより、リアルタイムで処理できないシステムにおいてもバッチ処理などで対応できる。このため、作業効率を向上させることができる。また、何らかの故障により色が異なった場合においても、カラーチャート８の色情報より撮影条件を認識し、補正を行うことも可能となる。また、カラーチャート８をカメラフレーム内に置き、その際、被写体７の切り出し領域外に置くことにより、カラーチャート８の写真からの削除が必要とならなくなるため、作業の効率が上がる。また、切り出し領域にカラーチャート８がかかっている場合には、カラーチャート８の領域を検知し、取り除いた後、予め登録された背景色に塗りつぶすことにより、自然な証明写真を得ることができる。また、カラーチャート８の領域を取り除いた後、それに隣接する周辺の画素からの色情報で塗りつぶすことによっても同じ背景に戻すことが可能となる。さらに、カラーチャートをカメラフレームの複数箇所に置くことにより、外光などの外乱要因による影響が被写体の領域で異なった場合においても、各領域で変換パラメータを切り換えたり、スムージングをかけたりすることにより、被写体全体を均一の同一標準光源で撮影した状態に近い画像情報を得ることが可能となる。
【００６０】
【発明の効果】
以上詳述したように本発明によれば、人物等の被写体をカメラなどのカラ−画像として取り込み、画像の表示あるいは印刷を行なう場合でも、入出力デバイスが異なっている場合でも、色合いを変更されることがないカラ−画像処理システムを提供することができる。
【図面の簡単な説明】
【図１】本発明に関するシステム図です。
【図２】本発明の制御部の構成を説明するブロック図。
【図３】本発明の第１の実施の形態を説明する処理フロー図。
【図４】画像の切り出しを説明する図。
【図５】カラーチャートの色変換を説明する図。
【図６】ファイルファーマットの一例を説明する図。
【図７】ファイルファーマットの一例を説明する図。
【図８】カメラフレーム内の状態を示した図。
【図９】カメラフレーム内の状態を示した図。
【図１０】背景の塗りつぶしを説明する図。
【図１１】処理フローを説明する図。
【図１２】処理フローを説明するフローチャ−ト。
【図１３】処理フローを説明するフローチャ−ト。
【図１４】カメラフレーム内の状態を示した図。
【図１５】フレームの領域分割を示す図。
【図１６】処理フローを説明するフローチャ−ト。
【図１７】従来例を説明するフローチャ−ト。
【図１８】従来例を説明するフローチャ−ト。
【符号の説明】
１…制御部、２…画像入力部、３…記憶部、４…プリンタ、５…表示部、６…背景パネル、７…被写体、８…カラ−チャ−ト、９…光源、１０…外乱要因、１１…切り出し領域、１２…フレ−ム、２０…ＣＰＵ、２１…画像メモリ、２２…画像分離部、２３…変換マトリクス作成部、２４…画像変換処理部、２５…背景描画部、２６…背景情報抽出部、２７…領域分割部、２８…表示メモリ、２９…通信部、３０…画像入力Ｉ／Ｆ、３１…記憶部Ｉ／Ｆ、３２…プリンタＩ／Ｆ、８１，８３，８４…カラ−チャ−ト。
【図１】
0003912813.tif 000006
【図２】
0003912813.tif 000007
【図３】
0003912813.tif 000008
【図４】
0003912813.tif 000009
【図５】
0003912813.tif 000010
【図６】
0003912813.tif 000011
【図７】
0003912813.tif 000012
【図８】
0003912813.tif 000013
【図９】
0003912813.tif 000014
【図１０】
0003912813.tif 000015
【図１１】
0003912813.tif 000016
【図１２】
0003912813.tif 000017
【図１３】
0003912813.tif 000018
【図１４】
0003912813.tif 000019
【図１５】
0003912813.tif 000020
【図１６】
0003912813.tif 000021
【図１７】
0003912813.tif 000022
【図１８】
0003912813.tif 000023